(57)【要約】      （修正有）【課題】天板上のみならず机板下においても、ティッシュペーパーを指先にはさんでの取り出しを円滑かつ確実に行うことができるボックスを提供する。【解決手段】全体が前傾斜面に成る前側面部２および後側面部３から成る側面平行四辺形の立体形状に成る箱体１の前側面部および平面部４において設ける適当巾の開口部５に、先端部６，左右両側部７，７および基端部８にかけて切り目線９を連続して形成する前被覆板１０を設け、該前被覆板の基端部に連続して設ける後被覆板１３の左右両側部１５，１５および基端部１６にかけて切り目線１７を連続して形成して成るボックスであり、前記形状から成る箱体の開口部内部においてはティッシュペーパーは前傾斜状態に収容される。【選択図】図１
2014043260.tif 000002
【特許請求の範囲】
【請求項１】
全体が前傾斜面に成る前側面部および後側面部から成る側面平行四辺形の立体形状に成る箱体の前側面部および平面部において設ける適当巾の開口部に、先端部，左右両側部および基端部にかけて切り目線を連続して形成する前被覆板を設け、該前被覆板の基端部に連続して設ける後被覆板の左右両側部および基端部にかけて切り目線を連続して形成して成ることを特徴とするティッシュペーパーボックス。
【請求項２】
前被覆板および後被覆板の任意位置に摘みを設けて成る請求項１に記載したティッシュペーパーボックス。
【請求項３】
全体が前傾斜面に成る前側面部および後側面部から成る側面平行四辺形の箱体の開口部内部においてティッシュペーパーは前傾斜状態に収容されることを特徴とする請求項１に記載したティッシュペーパーボックス。
【発明の詳細な説明】
【技術分野】
【０００１】
本発明は、日常使用するティッシュペーパー収容用のボックスに関するものである。
【背景技術】
【０００２】
われわれが日常生活で使用するティッシュペーパーを収容するボックスは長方形立体箱に成るものが普通で、箱体の平面中央部に開口部を設け、ここからペーパーを上方向に取り出して使用するものであるため、例えば、学校等で机の下側の棚板上に置いて使用することは円滑な取り出しができない欠点があった。
【０００３】
そこで、使用する場所にあっては欠点となっていたティッシュペーパーボックスの構造を改良した技術について調査をしたところ、次のような特許文献が見られた。
【先行技術文献】
【特許文献】
【０００４】
【特許文献１】実開昭６４−４２２３２号公報
【特許文献２】実開平１−１５０５９０号公報
【特許文献３】実開平３−１１７６７４号公報
【特許文献４】実開平５−３１６４号公報
【特許文献５】登録実用新案第３０７２１３０号公報
【０００５】
しかしながら、これらのボックスでは、内部のティッシュペーパーを指先にはさんで水平方向に円滑に取り出すことはできないとともに最後のティッシュペーパー分まで確実に取り出すことは困難である。
【発明の概要】
【発明が解決しようとする課題】
【０００６】
そこで、本発明は、これらの欠点を一掃し、天板上のみならず机板下においても、ティッシュペーパーを指先にはさんでの取り出しを円滑かつ確実に行うことができるボックスを提供することを目的とするものである。
【課題を解決するための手段】
【０００７】
本発明は、全体が前傾斜面に成る前側面部および後側面部から成る側面平行四辺形の立体形状に成る箱体の前側面部および平面部において設ける適当巾の開口部に、先端部，左右両側部および基端部にかけて切り目線を連続して形成する前被覆板を設け、該前被覆板の基端部に連続して設ける後被覆板の左右両側部および基端部にかけて切り目線を連続して形成して成るボックスであり、前記形状から成る箱体の開口部内部においてはティッシュペーパーは前傾斜状態に収容されるものである。
【発明の効果】
【０００８】
第１に、箱体が前傾斜面に成る前側面部と後傾斜面に成る後側面部から成る側面平行四辺形体に成ることにより、箱体内部に収容されているティッシュペーパーの束が上部に対し下部が前傾斜する前傾斜面状態に収容されるようになるから、内部のティッシュペーパーは箱体内部で常時出口部に向かって前傾斜状態を保持されており、指先による摘み取りを円滑かつ確実にできるようになる。
【０００９】
第２に、箱体の開口部における平面部には前後に複数に分かれた被覆板を切り離すことができるように構成しているから、箱体内部における前方半部分のティッシュペーパーの使用が済んだら、前被覆板を左右の切り目線を介して全部切り離し後方半部分のティッシュペーパーの使用に入ることができるようになる。
【００１０】
第３に、学校の教室に配置されている各自の机には棚板が設置されているから、その棚板上に本発明のボックスを配置しておけば、指先の差し入れが円滑にでき、ティッシュペーパーの把み取りを容易に行うことができ、利便性が高い。
【図面の簡単な説明】
【００１１】
【図１】一実施例の全体の斜視図
【図２】取扱い時の全体の斜視図
【図３】他の取扱い時の全体の斜視図
【図４】全体の側面図
【図５】一使用例の斜視図
【発明を実施するための形態】
【００１２】
箱体の開口部内部に収容されているティッシュペーパーの束は、後方から前方にかけて常時前傾斜状態に配置されるようになる
【００１３】
また、箱体内部のティッシュペーパーが使用により漸減した時は進行状況を見て、前後両被覆板を左右両側の切り目線を介してめくり上げ、最後には前被覆板を切り取り、次に後被覆板を左右両側の切り目線を切り取るようにすればよい。
【実施例】
【００１４】
１は全体が側面平行四辺形の立体形状に成る箱体で、この箱体の前側面部２と後側面部３とは前傾斜面形に成り、また平面部４は水平面形に成る。
【００１５】
５は前記箱体１の前側面部２および平面部４にかけて適当巾に設けて成る開口部で、この開口部には先端部６，左右両側部７，７および基端部８にかけて切り目線９を連続して形成する前被覆板１０を設ける。
【００１６】
前記開口部５は、箱体１の前記前側面部２から後側面部３に及んで一体に構成されている。
【００１７】
１１は前記前被覆板１０の箱体前側面部２と平面部４との間に形成する曲折線で、この曲折線の左右両部には前記切り目線９が位置している。
【００１８】
１２は前記前被覆板１０の先端部６における前記切り目線９の中央部に設けた摘みで、この摘みは前記箱体１の前側面部２の一部に食い込んでいる。
【００１９】
１３は前記前被覆板１０の基端部８に連続して構成する後被覆板で、この後被覆板の先端部は前記前被覆板１０の基端部８と同一線に成るが、この中央部には摘み１４を設けて前被覆板１０の基端部８の中央部に食い込んで連継している。
【００２０】
１５，１５は前記後被覆板１３の左右両側部で、この左右両側部の基端部１６にかけて切り目線１７を連続して形成する。
【００２１】
ａは箱体１の前開口部５内に収容したティッシュペーパー、ａ’が箱体１の後開口部５内に収容したティッシュペーパーである。
【００２２】
図５においては、学童机に使用されている例を示しているが、使用する場所はこれに限らず自由である。
【符号の説明】
【００２３】
１                    箱体
２                    前側面部
３                    後側面部
４                    平面部
５                    開口部
６                    先端部
７，７                左右両側部
８                    基端部
９                    切り目線
１０                  前被覆板
１１                  曲折線
１２                  摘み
１３                  後被覆板
１４                  摘み
１５，１５            左右両側部
１６                  基端部
１７                  切り目線
ａ，ａ’              ティッシュペーパー
【図１】
2014043260.tif 000003
【図２】
2014043260.tif 000004
【図３】
2014043260.tif 000005
【図４】
2014043260.tif 000006
【図５】
2014043260.tif 000007